(57)【特許請求の範囲】
【請求項１】
画像情報を表示する表示画面を有する表示部と、該表示部を略直立状態とするように支持する台座部を備える表示装置であって、
前記台座部には、
前記表示装置の転倒を防止するために、前記台座部に対して該台座部の設置面と略平行方向に挿脱可能に設けられ、かつ電子機器を載置可能な載置面が形成された載置台が上面側に設けられた転倒防止部材と、
前記転倒防止部材が前記台座部へ収納時に前記電子機器を収納可能な空間部と、を備え、
前記転倒防止部材には、該転倒防止部材が前記台座部に収納時は、前記設置面から離間し、前記台座部から引き出し時は、前記設置面に当接する移動用車輪が備わることを特徴とする表示装置。
【請求項２】
前記転倒防止部材には、該転倒防止部材の前記台座部への装着状態と装着解除状態とを切り換える装着状態切換手段が備わることを特徴とする請求項１に記載の表示装置。
【請求項３】
前記転倒防止部材は、前記載置面が略水平状態を維持した状態でスライド移動するスライド部材が前記台座部に設けられた案内部材によって、一定方向へスライド移動を案内されることを特徴とする請求項１または２に記載の表示装置。
【請求項４】
前記台座部には、前記転倒防止部材の収納状態または引き出し状態で固定する転倒防止部材固定手段を備えることを特徴とする請求項１〜３の何れか１項に記載の表示装置。
【請求項５】
前記スライド部材には、該スライド部材のスライド移動を補助するスライド移動補助手段が前記案内部材を挟み込むようにして設けられることを特徴とする請求項３に記載の表示装置。
【請求項６】
前記転倒防止部材は、前記表示画面と略平行な方向に移動可能に設けることを特徴とする請求項１〜５の何れか１項に記載の表示装置。
【請求項７】
前記転倒防止部材には、前記載置台に載置された前記電子機器を隠蔽する遮蔽部材が設けられていることを特徴とする請求項６に記載の表示装置。
【発明の詳細な説明】
【技術分野】
【０００１】
本発明は、液晶表示ディスプレイやプラズマディスプレイ等の表示画面を有する表示部を備える表示装置に関し、特に、表示部を支持する台座部に備わる転倒防止脚に関する。
【背景技術】
【０００２】
一般に、ＬＣＤ（ Liquid Crystal Display ）やプラズマディスプレイ等の薄型かつ大型の表示画面を有する表示部をスタンド上に載置し、移動可能にキャスターを設けた表示装置は、重心が高い位置にあるので、表示部の重量により、移動時に表示装置が転倒する虞がある。当該転倒を防止するための表示装置用台座として、表示装置の表示部を支持する台座部からスライドして引き出し・収納が可能なディスプレイ用転倒防止脚を設けた薄型表示装置用台座が特許文献１に開示されている。
【特許文献１】特開平１０−３３３５９４号公報
【発明の開示】
【発明が解決しようとする課題】
【０００３】
上記の薄型表示装置用台座は、台座部内に収納可能な転倒防止脚を設けることによって、薄型表示装置を壁面から離した状態で設置するときには、台座部から転倒防止脚を突出させて薄型表示装置の転倒防止を図れ、転倒防止脚を台座部内に収納することによって、薄型表示装置を壁面に近接して設置することができる。換言すると、薄型表示装置を壁面から離しての設置、および近接させての設置の双方の場合でも、転倒防止脚を台座部に対して、引き出し・収納することにより、薄型表示装置の転倒防止が図れる。
【０００４】
しかしながら、当該薄型表示装置用台座では、転倒防止脚は、薄型表示装置の転倒防止を目的としてのみ利用されるものであり、転倒防止脚を台座部から引き出した際に、転倒防止脚の占有するスペースが他の用途に有効に利用されるものでなかった。
【０００５】
また、薄型表示装置の転倒を防止するために、転倒防止脚を台座部から引き出した際に、表示部の荷重による台座部および転倒防止脚への重量負荷にバラツキがあるために、表示部を保持する台座部および当該台座部の補助的保持手段となる転倒防止脚によって、表示装置を水平面に設置した際に、表示装置ががたつき、当該設置が不安定な状態となることが問題となっていた。
【０００６】
そこで、本発明は、従来の表示装置が有する上記問題点に鑑みてなされたものであり、本発明の目的は、表示装置の設置スペースの有効利用を図り、かつ転倒防止脚の使用時における表示装置の設置の安定性の向上の可能な、新規かつ改良された表示装置を提供することである。
【課題を解決するための手段】
【０００７】
上記課題を解決するために、本発明のある実施の態様によれば、画像情報を表示する表示画面を有する表示部と、この表示部を略直立状態とするように支持する台座部を備える表示装置であって、台座部には、表示装置の転倒を防止するために、台座部に対して当該台座部の設置面と略平行方向に挿脱可能に設けられ、かつ電子機器を載置可能な載置面が形成された載置台が上面側に設けられた転倒防止部材と、この転倒防止部材が台座部へ収納時に電子機器を収納可能な空間部とを備え、前記転倒防止部材には、該転倒防止部材が前記台座部に収納時は、前記設置面から離間し、前記台座部から引き出し時は、前記設置面に当接する移動用車輪が備わることを特徴とする表示装置が提供される。
【０００８】
このように、台座部に対してスライド可能な転倒防止部材にプリンタ等の電子機器を載置できる載置台を設けることによって、転倒防止脚を備える表示装置の設置スペースを有効利用することが出来る。また、表示装置を移動させる際に、転倒防止脚を引き出した際には、電子機器が引き出した方向に移動するので、電子機器の重量が引き出した方向に分配されて、複数のキャスターの中央部分に装置全体の重量が均等に分配されることによって、表示装置の移動の際の安定性が向上する。
【０００９】
このとき、上記の実施の態様において、前記転倒防止部材には、この転倒防止部材が前記台座部に収納時は、前記設置面から離間し、台座部から引き出し時は、前記設置面に当接する移動用車輪が備わることとしている。
【００１０】
転倒防止部材に取り付けた移動用車輪となるキャスターが常に床面に接触した状態である場合では、表示装置全体の重量がキャスターに加わって、転倒防止部材をスライド移動させる際に余分な力を要するが、上記の構成とすることにより、転倒防止部材のスライド移動中の表示装置全体の荷重を緩和するので、より小さい力で転倒防止部材を移動させることが出来るようになる。
【００１１】
このとき、上記実施の態様において、転倒防止部材には、この転倒防止部材の台座部への装着状態と装着解除状態とを切り換える装着状態切換手段が備わることとしてもよい。
【００１２】
このような構成とすることにより、装着状態切換手段となる解除レバーによって、容易に転倒防止部材の台座部への装着状態と装着解除状態とを切り換えることが出来るので、転倒防止部材の使用における操作が容易になる。
【００１３】
このとき、上記実施の態様において、転倒防止部材は、載置面が略水平状態を維持した状態でスライド移動するスライド部材が台座部に設けられた案内部材によって、一定方向へスライド移動を案内されることとしてもよい。
【００１４】
このような構成とすることにより、転倒防止部材を構成するスライド部のスライド移動方向へのスライド操作の精度が向上するようになるので、転倒防止部材の使用時のがたつきが低減される。
【００１５】
このとき、上記実施の態様において、台座部には、転倒防止部材の収納状態または引き出し状態で固定する転倒防止部材固定手段を備えることとしてもよい。
【００１６】
このように、転倒防止部材を台座部に対して収納状態または引き出し状態の何れかで固定されるようにすることによって、双方の状態における転倒防止部材が台座部に対して安定した状態で維持されるようになる。
【００１７】
このとき、上記実施の態様において、スライド部材には、このスライド部材のスライド移動を補助するスライド移動補助手段が案内部材を挟み込むようにして設けられることとしてもよい。
【００１８】
このような構成とすることにより、転倒防止部材の台座部からの出し入れが円滑に実行されるようになるので、容易に表示装置を転倒防止可能な状態にすることが出来る。
【００１９】
このとき、上記実施の態様において、転倒防止部材は、表示画面と略平行な方向に移動可能に設けることとしてもよい。
【００２０】
このような構成とすることにより、例えば、表示画面上に画像を表示した状態で載置台上の画像形成装置のメンテナンス作業を行っても、メンテナンスを行う者が表示画面の側方に位置することが可能となるので、メンテナンスを行う者によって表示画面が隠されることが防止される。
【００２１】
このとき、上記実施の態様において、転倒防止部材には、載置台に載置された電子機器を隠蔽する遮蔽部材が設けられていることとしてもよい。
【００２２】
このような構成とすることにより、遮蔽部材となるカバーにより、表示画面の向けられた方向に位置する第三者の視野に、転倒防止部材の収納時・引出し時の何れの場合であっても、電子機器を隠せるので、美観を損ねることがない。
【発明の効果】
【００２３】
以上説明したように、本発明によれば、台座部に対してスライド可能な転倒防止部材にプリンタ等の電子機器を載置できる載置台を設けることによって、当該電子機器のメンテナンスを容易にし、転倒防止部材を備える表示装置の設置スペースを有効利用できる。また、転倒防止部材の引き出し時には、電子機器が引き出した方向に移動するので、電子機器の重量が引き出した方向に配分されて、複数のキャスターの中央部分に装置全体の重量が均等に配分されるようになるので、表示装置の設置の際の安定性が向上する。
また、前記転倒防止部材には、この転倒防止部材が前記台座部に収納時は、前記設置面から離間し、台座部から引き出し時は、前記設置面に当接する移動用車輪が備わることとしていることにより、転倒防止部材のスライド移動中の表示装置全体の荷重を緩和するので、より小さい力で転倒防止部材を移動させることが出来るようになる。
【発明を実施するための最良の形態】
【００２４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２５】
（第１の実施の形態）
まず、本発明の表示装置の第１の実施の形態の構成について、図面を参照しながら説明する。図１は、本実施の形態の表示装置の全体の概要構成を示す斜視図である。表示装置１００は、大型ＬＣＤ等の表示画面１０２ａを有する表示部１０２と、この表示部１０２を略直立状態とするように支持する台座部１０４を備える。
【００２６】
本実施の形態では、台座部１０４は、表示装置１００が設置される設置面となる床面と接触する基台１０６と、当該基台１０６と表示部１０２を連結する２つの脚部１０８を備える構成となっている。すなわち、図１に示すように、基台１０６と表示部１０２との間における１対の脚部１０８の間の部分は、空間部１０８ａとなっている。
【００２７】
基台１０６は、表示装置１００の転倒を防止するために、台座部１０４の設置面と略平行方向に挿脱可能、換言すると、台座部１０４の基台１０６からスライド移動により引き出し・収納の切り換えが可能な転倒防止部材となる転倒防止脚１１０を備えている。転倒防止脚１１０の上面側には、プリンタ等の電子機器類を載置することが可能な載置面１１２ａが形成された載置台１１２を備えている。このように、転倒防止脚１１０の上面側に当該載置台１１２を設けることによって、転倒防止脚１１０が台座部１０４の基台１０６へ収納時には、載置台１１２上のうち脚部１０８の間の空間部１０８ａに電子機器を収納することが出来る。
【００２８】
基台１０６および転倒防止脚１１０の底面側には、表示装置１００の移動を容易にするための移動用車輪となるキャスター１１４が複数設けられている。すなわち、表示装置１００を設置した際の当該表示装置１００の重量がこれらの各キャスター１１４に分散されて掛かることとなる。
【００２９】
次に、本実施の形態の表示装置に備わる台座部の構成について図面を参照して説明する。図２は、本実施の形態の表示装置に備わる台座部の斜視図であり、（ａ）は、本実施の形態の表示装置の転倒防止脚を収納した状態の台座部の斜視図であり、（ｂ）は、本実施の形態の表示装置の転倒防止脚を引き出した状態の台座部の斜視図である。
【００３０】
前述したように、台座部１０４の基台１０６には、表示装置１００の転倒を防止するために、当該基台１０６からスライド移動により、引き出し・収納の切り換えが可能な転倒防止脚１１０が設けられている。本実施の形態では、図２に示すように、転倒防止脚１１０は、脚部１０８と略平行な方向、換言すると、表示部１０２の表示画面１０２ａに対して、略垂直方向にスライド移動可能な構成となっている。当該転倒防止脚１１０には、この転倒防止脚１１０が台座部１０４の基台１０６へ装着された状態と装着が解除された状態とを切り換える装着状態切換手段となる解除レバー１１６が備わる。なお、この解除レバー１１６の詳細については、後述する。
【００３１】
本実施の形態では、図２（ａ）に示すように、転倒防止脚１１０を基台１０６に収納した状態とすることにより、表示装置１００を静止した状態で設置した際の設置に要する面積を小さくすることが出来る。
【００３２】
一方、図２（ｂ）に示すように、転倒防止脚１１０を基台１０６から引き出した状態とすることにより、表示装置１００を移動している際には、装置全体を安定させて、転倒の危険から回避することが出来る。
【００３３】
また、台座部１０４には、転倒防止脚１１０の収納状態または引き出し状態で固定する固定手段となる転倒防止脚固定部１１８が脚部１０８の近傍に設けられている。転倒防止脚固定部１１８は、２本の締結ネジ１１９と留め板１２０を備える。本実施の形態では、基台１０６と転倒防止脚１１０のそれぞれに形成されたねじ穴部１０６ａ、１１０ａに、これら基台１０６と転倒防止脚１１０のそれぞれを締結されるための２本の締結ネジ１１９が留め板１２０を介して連結させることによって、基台１０６に対して転倒防止脚１１０が挿脱方向に移動しないように固定される。
【００３４】
本実施の形態では、基台１０６側には、１つのねじ穴部１０６ａ、転倒防止脚１１０側には、２つのねじ穴部１１０ａ、１１０ｂがそれぞれ形成されている。転倒防止脚１１０側に形成されたねじ穴部１１０ａ、１１０ｂは、転倒防止脚１１０のスライド移動方向に沿って、所定の間隔を有するようにして設けられている。ねじ穴部１１０ａ、１１０ｂをこのように設けることによって、転倒防止脚１１０の収納状態時には、図２（ａ）に示すように、転倒防止脚１１０の外側に有するねじ穴部１１０ａと基台１０６側のねじ穴部１０６ａに締結ネジ１１９が留められ、これらの締結ネジ１１９が留め板１２０を介して連結される。このため、転倒防止脚１１０が基台１０６に収納された状態で固定される。一方、転倒防止脚１１０の引き出し状態時には、図２（ｂ）に示すように、転倒防止脚１１０の内側に有するねじ穴部１１０ｂと基台１０６側のねじ穴部１０６ａに締結ネジ１１９が留められ、これらの締結ネジ１１９が留め板１２０を介して連結される。このため、転倒防止脚１１０が基台１０６から引き出された状態で固定される。
【００３５】
このように、転倒防止脚固定部１１８の締結ネジ１１９によって、転倒防止脚１１０を台座部１０４に対して収納状態または引き出し状態の何れかで固定されるように締結させるので、双方の状態における転倒防止脚１１０が台座部１０４の基台１０６に対してがたつくことなく安定した状態を維持出来るようになる。
【００３６】
なお、本実施の形態では、転倒防止脚１１０には、ねじ穴部１１０ａ、１１０ｂが転倒防止脚１１０のスライド移動方向に沿って、２つ設けられているが、当該スライド移動方向に沿って所定間隔で設けられていれば、転倒防止脚１１０の引き出し状態を複数段階で固定可能とするために、３つ以上のねじ穴部を設けても良い。
【００３７】
次に、本実施の形態の表示装置の回路構成の概略について、図面を使用しながら説明する。図３は、本実施の形態の表示装置の全体の回路構成を示すブロック図である。
【００３８】
本実施の形態では、表示部１０２の表示画面１０２ａ側となる前面には、操作手段となるタッチパネル１０３が設けられている。当該表示部１０２では、このタッチパネル１０３のタッチ部分の座標を検出して、タッチ操作に基づいて、様々な情報を表示画面１０２ａに表示することが出来る。また、本実施の形態では、ＰＣ（ Personal Computer ）等の情報処理装置１２２が表示部１０２に接続され、表示部１０２で表示するための情報を出力する。この情報処理装置１２２によって、表示部１０２で出力された表示情報は、プリンタ１２４によって、印字出力されるように構成されている。当該プリンタ１２４は、本発明の電子機器に相当する。
【００３９】
次に、本実施の形態の表示装置の詳細な構成について、図面を使用しながら説明する。図４は、本実施の形態の表示装置の側面図であり、転倒防止脚を収納した状態を示し、図５は、本実施の形態の表示装置の側面図であり、転倒防止脚を引き出した状態を示す。
【００４０】
前述したように、表示装置１００は、表示画面１０２ａ側にタッチパネル１０３を有する表示部１０２が台座部１０４によって、略直立状態に支持される構成となっている。本実施の形態では、表示部１０２のタッチパネル１０３の反対側、換言すると、表示部１０２の背面側となる台座部１０４の上面側となる載置部１０４ａには、情報処理装置１２２が設置されている。
【００４１】
台座部１０４は、基台１０６と、当該基台１０６と表示部１０２を連結する２つの脚部１０８を備えており、転倒防止脚１１０が基台１０６に収納時には、脚部１０８の間の空間部１０８ａに位置することになる載置台１１２に載置されたプリンタ１２４が表示部１０２の下に位置するように収納されるようになる。
【００４２】
基台１０６の底側には、前述したように、表示装置１００の移動を容易にするためのキャスター（基台側キャスター）１１４が設けられている。また、基台１０６の脚部１０８の根元間には、転倒防止脚１１０をスライド移動するようにガイドする案内部材となるレール部１０６が２つの脚部１０８を連結するように設けられている。
【００４３】
転倒防止脚１１０には、レール部１０７に沿ってスライド移動するためのスライド部１１１と、プリンタ等の電子機器類を載置することが可能な載置面１１２ａが形成された載置台１１２と、転倒防止脚１１０の移動を容易にするためのキャスター（転倒防止脚側キャスター）１１４ａが設けられている。本実施の形態では、レール部１０７が脚部１０８と略平行な方向、換言すると、表示部１０２の表示画面１０２ａに対して、略垂直方向に設けられているので、転倒防止脚１１０のスライド部１１１は、表示部１０２の表示画面１０２ａに対して、略垂直方向にスライド移動可能となる。
【００４４】
転倒防止脚１１０のスライド部１１１をレール部１０７に沿ってスライド移動させることによって、台座部１０４の基台１０６から引き出すと、図５に示すように、載置台１１２に載置された電子機器であるプリンタ１２４の上面および側面が開放されるようになる。このため、図６に示すように、プリンタ１２４のカバー１２４ａを開放して、プリンタ１２４のジャム処理や現像剤カートリッジ１２４ｂを装着して現像剤補給等のメンテナンス作業が実行し易い状態へ容易に切り換えられるようになる。
【００４５】
次に、台座部に備わる基台および転倒防止脚の底側に設けられるキャスターの位置関係について、図面を使用しながら説明する。図７は、転倒防止脚が基台に収納時における転倒防止脚および基台の周辺部を示す拡大図であり、（ａ）は、転倒防止脚および基台の周辺部の正面図であり、（ｂ）は、転倒防止脚および基台の周辺部の側面図であり、図８は、転倒防止脚が基台から引き出し時における転倒防止脚および基台の周辺部を示す拡大図である。
【００４６】
転倒防止脚１１０が基台１０６に収納時では、図７（ａ）、（ｂ）に示すように、転倒防止脚側キャスター１１４ａは、基台側キャスター１１４より若干上側に来るように位置しており、床面Ｇ１に接触していない。
【００４７】
これに対して、転倒防止脚１１０が基台１０６から引き出した時には、図８に示すように、転倒防止脚側キャスター１１４ａは、基台側キャスター１１４と同じ高さに位置するようになり、床面Ｇ１に接触するようになる。
【００４８】
すなわち、本実施の形態では、転倒防止脚１１０に備わる転倒防止脚側キャスター１１４ａは、転倒防止脚１１０が台座部１０４の基台１０６に収納時には、設置面となる床面Ｇ１から離間し、基台１０６から引き出し時には、床面Ｇ１に当接している。仮に、転倒防止脚側キャスター１１４ａが常に床面Ｇ１に接触した状態であったとしたら、表示装置１００全体の重量がキャスター１１４ａに荷重されて、転倒防止脚１１０をスライド移動させる際に余分な力を要するが、このように転倒防止脚側キャスター１１４ａを設けることによって、転倒防止脚１１０のスライド移動中の荷重を緩和させるので、より小さい力で軽く転倒防止脚１１０を移動させることが出来る。
【００４９】
次に、台座部に備わる転倒防止脚の詳細な構成について、図面を使用しながら説明する。図９は、本実施の形態における転倒防止脚のスライド移動方向に沿った断面を段階的に示す図であり、（ａ）は、転倒防止脚のスライド移動開始の状態を示し、（ｂ）は、転倒防止脚のスライド移動の途中の状態を示し、（ｃ）は、転倒防止脚のスライド移動の完了の状態を示す。
【００５０】
転倒防止脚１１０のスライド部１１１内には、当該スライド部１１１のスライド移動を補助するスライド移動補助手段となるコロ１２６がレール部１０７を挟み込むようにして設けられている。このように、コロ１２６をスライド部１１１内に設けることによって、転倒防止脚１１０の基台１０６からの出し入れが円滑に実行されるようになり、容易に表示装置１００を転倒防止可能な状態にすることが出来る。
【００５１】
また、レール部１０７は、図９に示すように、引き出し方向に下向きに傾斜しているので、スライド部１１１を引き出し方向に移動させるに連れて、スライド部１１１は、斜め下方向に移動する。一方、載置台１１２は、スライド移動中も載置面１１２ａが水平状態となるように設けられている。このため、上述したように、転倒防止脚１１０が台座部１０４の基台１０６に収納時には、転倒防止脚１１０に備わる転倒防止脚側キャスター１１４ａが床面Ｇ１から離間し、基台１０６から引き出し時には、転倒防止脚側キャスター１１４ａが床面Ｇ１に当接するようになる。
【００５２】
次に、転倒防止脚に備わる解除レバーの詳細な構成について、図面を使用しながら説明する。図１０は、本実施の形態における転倒防止脚の先端側のスライド移動方向に沿った断面を示す図であり、（ａ）は、解除レバーの締結時、（ｂ）は、解除レバーの締結解除時を示す。
【００５３】
転倒防止脚１１０の先端側には、この転倒防止脚１１０の台座部１０４の基台１０６への装着状態と装着解除状態とを切り換える解除レバー１１６が備わる。解除レバー１１６の先端側には、図１０に示すように、レール部１０７の先端側に設けられたノッチ１０７ａと係合する係合部１１６ａが備わる。一方、解除レバー１１６の基端側には、図１０に示すように、ユーザが操作するための把手部１１６ｂが設けられ、当該解除レバー１１６は、支持軸１１６ｃで回動可能に支持されている。このため、ユーザが解除レバー１１６の把手部１１６ｂを把持して、支持軸１１６ｃを中心に回動させることによって、係合部１１６ａとノッチ１０７ａの係合の嵌脱の動作が実行される。
【００５４】
また、本実施の形態では、解除レバー１１６の係合部１１６ａと支持軸１１６ｃとの間の部位がスライド部１１１と弾性部材であるバネ１１７を介して接続されているので、通常時では、図１０（ａ）に示すように、バネ１１７で付勢されることによって、係合部１１６ａは、ノッチ１０７ａと係合している。
【００５５】
一方、ユーザの操作によって、把手部１１６ｂが上に持ち上げられると、係合部１１６ａとノッチ１０７ａの係合が解除されるので、レール部１０７に沿って、スライド部１１１がスライド移動可能な状態となる。
【００５６】
このように、解除レバー１１６によって、容易に転倒防止脚１１０の台座部１０４の基台１０６への装着状態と装着解除状態とを切り換えることが出来るので、転倒防止脚１１０の使用における操作が容易になる。
【００５７】
以上説明したように、本実施の形態では、台座部１０４の基台１０６に対してスライド移動可能な転倒防止脚１１０にプリンタ等の電子機器１２４を載置できる載置台１１２を設けることによって、転倒防止脚１１０を備える表示装置１００の設置スペースを有効利用することが出来る。また、表示装置１００を移動させる際に、当該表示装置１００の転倒を防止するために、転倒防止脚１１０を基台１０６から引き出した時に、転倒防止脚１１０の載置台１１２に載置された電子機器１２４が引き出した方向に移動するので、電子機器１２４の重量が引き出した方向に分配されてから、複数のキャスター１１４の略中央部分に表示装置１００の全体の重量が均等に分配されるようになる。このため、表示装置１００の設置の際の安定性が向上する。
【００５８】
（第２の実施の形態）
次に、本発明の表示装置の第２の実施の形態について、図面を使用しながら説明する。本実施の形態の表示装置の概略構成は、第１の実施の形態と同様であるので、かかる説明は、省略する。
【００５９】
本実施の形態では、第１の実施の形態と転倒防止脚の引き出し方向が異なる。すなわち、第１の実施の形態では、転倒防止脚は、表示部の表示画面に対して、略垂直方向にスライド移動可能な構成となっているが、本実施の形態では、転倒防止脚は、表示画面と略平行な方向に移動可能に設けられている。
【００６０】
以下、本実施の形態の表示装置の詳細な構成について、図面を使用しながら説明する。図１１は、同実施の形態の表示装置の正面図であり、転倒防止脚を収納した状態を示し、図１２は、同実施の形態の表示装置の正面図であり、転倒防止脚を引き出した状態を示し、図１３は、同実施の形態の表示装置の側面図であり、転倒防止脚を収納した状態を示す。
【００６１】
本実施の形態の表示装置２００は、第１の実施の形態と同様に、ＬＣＤ等の表示画面２０２ａを有する表示部２０２が台座部２０４によって、略直立状態に支持される構成となっている。
【００６２】
台座部２０４は、基台２０６と、当該基台２０６と表示部２０２を連結する脚部２０８を備えており、転倒防止脚２１０が基台２０６に収納時には、脚部２０８の間の空間部２０８ａに位置することになる載置台２１２に載置されたプリンタ２２４が表示部２０２の下に位置するように収納されるようになる。本実施の形態では、転倒防止脚２１０が表示画面２０２ａと略平行な方向に移動可能とするために、図１３に示すように、脚部２０８は、表示部２０２および情報処理装置２２２を載せる載置部２０４ａの各四隅を基台２０６と連結する４本の柱状形状のものである。なお、本実施の形態では、プリンタ２２４を載置した転倒防止脚２１０が表示画面２０２ａと略平行な方向に移動可能とするために、脚部２０８は、プリンタ２２４の奥行の大きさ以上の間隔を確保した上で基台２０６と表示部２０２（載置部２０４ａ）を連結する構成であれば、例えば、表示画面２０２ａと略平行な方向に直立して設けられる板状のものとしてもよい。
【００６３】
基台２０６の底側には、第１の実施の形態と同様に、表示装置２００の移動を容易にするためのキャスター（基台側キャスター）２１４が設けられている。また、基台２０６の脚部２０８の根元側には、転倒防止脚２１０をスライド移動するようにガイドするレール部２０７が設けられている。本実施の形態では、レール部２０７は、転倒防止脚２１０が表示画面２０２ａと略平行な方向にスライド移動するように、表示画面２０２ａと略平行な方向に設けられている。
【００６４】
転倒防止脚２１０には、レール部２０７に沿ってスライド移動するためのスライド部２１１と、プリンタ等の電子機器２２４を載置することが可能な載置面２１２ａが形成された載置台２１２と、転倒防止脚２１０の移動を容易にするためのキャスター（転倒防止脚側キャスター）２１４ａが設けられている。本実施の形態では、レール部２０７が表示画面２０２ａと略平行な方向に設けられているので、転倒防止脚２１０のスライド部２１１は、表示部２０２の表示画面２０２ａに対して、略平行な方向にスライド移動可能となる。
【００６５】
転倒防止脚２１０のスライド部２１１をレール部２０７に沿ってスライド移動させることによって、台座部２０４の基台２０６から引き出すと、図１２に示すように、載置台２１２に載置された電子機器であるプリンタ２２４の上面および側面が開放されるようになる。このため、プリンタ２２４のジャム処理や現像剤補給等のメンテナンス作業が実行し易い状態へ容易に切り換えられるようになる。特に、本実施の形態では、表示画面２０２ａ上に画像を表示した状態で載置台２１２上のプリンタ２２４のメンテナンス作業を行っても、メンテナンスを行う者が表示画面２０２ａの側方に位置することが可能となるので、メンテナンスを行う者によって表示画面２０２ａが隠されるのを回避して、表示画面２０２ａを視聴している者の視認妨害を防止されるようになる。
【００６６】
また、本実施の形態では、図１１に示すように、転倒防止脚２１０のスライド部２１１に設けられた載置台２１２には、当該載置台２１２に載置されたプリンタ等の電子機器２２４を隠蔽するための遮蔽部材となるカバー部２２６が設けられている。このように、カバー部２２６を設けることにより、表示画面２０２ａの向けられた方向に位置する第三者の視野に、転倒防止脚２１０のスライド部２１１が台座部２０４の基台２０６に収納時でも、図１２に示すように、スライド部２１１が台座部２０４の基台２０６から引き出された時の何れの場合であっても、カバー２２６によって、電子機器２２４を隠せる。このため、表示画面２０２ａを視聴している第三者にとって、プリンタ２２４が視野に入ることによる美観の欠損を防止されるようになる。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
例えば、上記の各実施の形態では、表示部の表示画面は、ＬＣＤからなるものについて、説明しているが、薄型かつ大型の表示画面を有する表示部を備える表示装置であれば、プラズマディスプレイ等の他の表示画面を有する表示部を台座部で支持する表示装置にも、本発明を適用可能である。
【図面の簡単な説明】
【００６９】
【図１】本発明の第１の実施の形態の表示装置の全体の概要構成を示す斜視図である。
【図２】同実施の形態の表示装置に備わる台座部の斜視図であり、（ａ）は、転倒防止脚を収納した状態の台座部の斜視図であり、（ｂ）は、転倒防止脚を引き出した状態の台座部の斜視図である。
【図３】同実施の形態の表示装置の全体の回路構成を示すブロック図である。
【図４】同実施の形態の表示装置の側面図であり、転倒防止脚を収納した状態を示す。
【図５】同実施の形態の表示装置の側面図であり、転倒防止脚を引き出した状態を示す。
【図６】同実施の形態の表示装置の使用の際に、プリンタのカバーを開いて、現像剤カートリッジを装着している状態を示す図である。
【図７】同実施の形態の表示装置に備わる基台および転倒防止脚の収納時の周辺の拡大図であり、（ａ）は、転倒防止脚および基台の周辺部の正面図であり、（ｂ）は、転倒防止脚および基台の周辺部の側面図である。
【図８】同実施の形態の表示装置に備わる基台および転倒防止脚の引き出し時の周辺の拡大図である。
【図９】同実施の形態の表示装置に備わる転倒防止脚の断面図であり、（ａ）は、転倒防止脚のスライド移動開始の状態を示し、（ｂ）は、転倒防止脚のスライド移動の途中の状態を示し、（ｃ）は、転倒防止脚のスライド移動の完了の状態を示す。
【図１０】同実施の形態における転倒防止脚の先端側のスライド移動方向に沿った断面を示す図であり、（ａ）は、解除レバーの締結時、（ｂ）は、解除レバーの締結解除時を示す。
【図１１】本発明の第２の実施の形態の表示装置の正面図であり、転倒防止脚を収納した状態を示す。
【図１２】同実施の形態の表示装置の正面図であり、転倒防止脚を引き出した状態を示す。
【図１３】同実施の形態の表示装置の側面図であり、転倒防止脚を収納した状態を示す。
【符号の説明】
【００７０】
１００      表示装置
１０２      表示部
１０２ａ    表示画面
１０４      台座部
１０６      基台
１０７      案内部材（レール部）
１０８      脚部
１０８ａ    空間部
１１０      転倒防止部材（転倒防止脚）
１１１      スライド部材（スライド部）
１１２      載置台
１１２ａ    載置面
１１４      移動用車輪（基台側キャスター）
１１４ａ    移動用車輪（転倒防止脚側キャスター）
１１６      装着状態切換手段（解除レバー）
１１８      転倒防止部材固定手段（転倒防止脚固定部）
１２４      電子機器（プリンタ）
１２６      スライド移動補助手段（コロ）
２２６      遮蔽部材（カバー部）
Ｇ１        設置面（床面）
【図１】
0005032904.tif 000002
【図２】
0005032904.tif 000003
【図３】
0005032904.tif 000004
【図４】
0005032904.tif 000005
【図５】
0005032904.tif 000006
【図６】
0005032904.tif 000007
【図７】
0005032904.tif 000008
【図８】
0005032904.tif 000009
【図９】
0005032904.tif 000010
【図１０】
0005032904.tif 000011
【図１１】
0005032904.tif 000012
【図１２】
0005032904.tif 000013
【図１３】
0005032904.tif 000014